(57)【要約】【課題】多数を積み重ねたときに個々の取り外しが容易な食品用容器の提供。【解決手段】食品用容器１は容器ユニット10〜50の組み合わせからなり、容器ユニット10〜50の間の共有上辺部18、48は第１傾斜部60を有し、共有上辺部28、38は第２傾斜部65（第１傾斜部60とは傾斜の向きが逆のもの）を有している。多数の食品用容器１を積み重ねるとき、厚さ方向に第１傾斜部60と第２傾斜部65が重なるように積み重ねると隙間ができるため、食品用容器１同士の分離が容易になる。【選択図】図１
2019104530.tif 000002
【特許請求の範囲】
【請求項１】
複数の容器ユニットの組み合わせからなる平面形状が矩形の食品用容器であって、
前記容器ユニットが、底面部、底面部に対向する開口部、および前記底面部と前記開口部の間の四つの側壁部を有しており、
前記四つの側壁部が、互いに対向する第１側壁部と第２側壁部、互いに対向する第３側壁部と第４側壁部であり、前記四つの側壁部の上辺部が前記開口部の周縁部となるものであり、
前記食品用容器が、複数の容器ユニットがそれらの開口部の周縁部において一体化されたものであり、
さらに前記食品用容器の第１端部側にある容器ユニットの第４側壁部と隣接する容器ユニットの第３側壁部が対向され、前記食品用容器の第１端部とは反対側の第２端部側の容器ユニットまで同様にして第４側壁部と第３側壁部が対向され、対向された前記第４側壁部の上辺部と前記第３側壁部の上辺部が一体にされた共有上辺部が複数形成されており、
前記複数の共有上辺部が、共有上辺部の第１端側から反対側の第２端側に傾斜された第１傾斜部を有しているものと、共有上辺部の第２端側から反対側の第１端側に傾斜された第２傾斜部を有しているものが混在されているものである、食品用容器。
【請求項２】
前記容器ユニットが奇数であり、前記共有上辺部が偶数であるとき、前記第１傾斜部を有する共有上辺部と前記第２傾斜部を有する共有上辺部が同数形成されており、
前記容器ユニットが偶数であり、前記共有上辺部が奇数であるとき、前記第１傾斜部を有する共有上辺部と前記第２傾斜部を有する共有上辺部のいずれか一方が一つ多く形成されているものである、請求項１記載の食品用容器。
【請求項３】
前記容器ユニットが、四つの側面部と底面部にリブを有しているものである、請求項１または２記載の食品用容器。
【請求項４】
菓子用の容器である、請求項１〜３のいずれか１項記載の食品用容器。
【請求項５】
請求項１〜４のいずれか１項記載の複数の容器ユニットの組み合わせからなる平面形状が矩形の食品用容器が複数積み重ねられた食品用容器集合体であって、
前記食品用容器集合体が、一つの食品用容器の共有上辺部の第１傾斜部と他の食品用容器の共有上辺部の第２傾斜部が厚さ方向に重ねられるようにして、一つの食品用容器に他の食品用容器が嵌め込まれて積み重ねられたものである、食品用容器集合体。
【発明の詳細な説明】
【技術分野】
【０００１】
本発明は、多数の食品用容器を積み重ねたときに一つ一つが分離しやすい食品用容器と、それを多数積み重ねた食品用容器集合体に関する。
【背景技術】
【０００２】
食品などを入れるための合成樹脂製の容器は、一つの容器の開口部に別の容器の底面部と側面部を嵌め込み、これを繰り返すことにより多数の容器が積み重ねられた状態で保管および運搬されている。
このように多数の容器が積み重ねられているときは一つずつを分離して使用することになるが、それぞれの容器が互いに嵌まり込んだ状態になって、分離し難くなっていることがあり、作業性を低下させる原因になる。
【０００３】
図７は、食品を入れるための５個の容器ユニット101が組み合わされた合成樹脂製の容器100の平面図であり、図８は図７のVII−VII間の矢視断面図である。容器100は、複数の容器ユニット101に由来する仕切り部102を有しており、多数の容器100を積み重ねたとき、互いに嵌まり込んで抜けにくくなってしまう。このため、無理に分離しようとする容器が変形するおそれもあるほか、作業時間が長くなるという問題がある。
【０００４】
特許文献１には、スタッキングとネスティングが可能な、積み重ねて使用する運搬用容器の発明が記載されている。
特許文献２には、食品用容器として使用できる容器の外側面に幅の狭い凹状または凸状のリブを側壁上端から底部にかけて設けている。前記容器は、前記リブの作用により容器を積み重ねたときに上下の容器同士が密着するブロッキング現象が防止できることが記載されている。
【先行技術文献】
【特許文献】
【０００５】
【特許文献１】特開2000-025769号公報
【特許文献２】特開2012-030803号公報
【発明の概要】
【発明が解決しようとする課題】
【０００６】
本発明は、多数の容器同士を互いに嵌め込んだ状態で積み重ねたときでも、個々の容器の分離が容易な食品用容器を提供することを課題とするものである。
【課題を解決するための手段】
【０００７】
本発明は、複数の容器ユニットの組み合わせからなる平面形状が矩形の食品用容器であって、
前記容器ユニットが、底面部、底面部に対向する開口部、および前記底面部と前記開口部の間の四つの側壁部を有しており、
前記四つの側壁部が、互いに対向する第１側壁部と第２側壁部、互いに対向する第３側壁部と第４側壁部であり、前記四つの側壁部の上辺部が前記開口部の周縁部となるものであり、
前記食品用容器が、複数の容器ユニットがそれらの開口部の周縁部において一体化されたものであり、
さらに前記食品用容器の第１端部側にある容器ユニットの第４側壁部と隣接する容器ユニットの第３側壁部が対向され、前記食品用容器の第１端部とは反対側の第２端部側の容器ユニットまで同様にして第４側壁部と第３側壁部が対向され、対向された前記第４側壁部の上辺部と前記第３側壁部の上辺部が一体にされた共有上辺部が複数形成されており、
前記複数の共有上辺部が、共有上辺部の第１端側から反対側の第２端側に傾斜された第１傾斜部を有しているものと、共有上辺部の第２端側から反対側の第１端側に傾斜された第２傾斜部を有しているものが混在されているものである、食品用容器を提供する。
【０００８】
また本発明は、上記の複数の容器ユニットの組み合わせからなる平面形状が矩形の食品用容器が複数積み重ねられた食品用容器集合体であって、
前記食品用容器集合体が、一つの食品用容器の共有上辺部の第１傾斜部と他の食品用容器の共有上辺部の第２傾斜部が厚さ方向に重ねられるようにして、一つの食品用容器に他の食品用容器が嵌め込まれて積み重ねられたものである、食品用容器集合体を提供する。
【発明の効果】
【０００９】
本発明の食品用容器によれば、互いに嵌め込んだ状態で多数を積み重ねたときでも、一つ一つを容易に分離することができるため、分離時における容器変形のおそれもなく、作業時間が短縮され、作業性が向上する。
【図面の簡単な説明】
【００１０】
【図１】本発明の食品用容器の平面図。
【図２】図１の食品用容器の一側面図。
【図３】（ａ）は図１のIII−III間の矢視断面図、（ｂ）は（ａ）の別実施形態の断面図。
【図４】（ａ）は図１のIＶ−IＶ間の矢視断面図、（ｂ）は（ａ）の別実施形態の断面図。
【図５】は図１のIII−III間またはIＶ−IＶ間の矢視断面図。
【図６】（ａ）は、図１、図２に示す食品用容器を二つ積み重ねるときの手順の説明図、（ｂ）は二つの食品用容器を積み重ねたときの平面図、（ｃ）は（ｂ）のＶI−ＶI間の矢視断面図。
【図７】従来技術の食品用容器の平面図。
【図８】図７のＶIII−ＶIII間の矢視断面図。
【発明を実施するための形態】
【００１１】
＜食品用容器＞
図１、図２に示す食品用容器１は、合計で５個の容器ユニット１０〜５０が組み合わされたものであり、第１端部２側に容器ユニット１０があり、反対側の第２端部３側に容器ユニット５０があり、容器ユニット１０と容器ユニット５０の間に容器ユニット２０、３０、４０がある。
食品容器１は、容器ユニット１０〜５０の内部に食品を入れて使用するものである。
食品用容器１を構成する容器ユニットの数と大きさは、対象となる食品の種類などに応じて適宜選択することができ、例えば、容器ユニット２個〜５０個からなるものにすることができる。
食品用容器１は、図１、図２に示すように容器ユニットが直列に一体化されたもののほか、例えば、図１、図２に示すように５個の容器ユニットが直列に一体化されたものが、さらに並列に複数配置されて一体化されたものでもよい。
図１、図２に示す食品用容器１は平面形状が長方形であるが、容器ユニットが直列および並列に複数組み合わされて正方形になったものでもよい。
食品用容器１（容器ユニット１０〜５０）は、ポリプロピレン、ポリスチレンなどの熱可塑性樹脂からなるものが好ましい。
容器ユニット１０〜５０の厚みは要求される強度などに応じて選択することができるが、例えば０．１ｍｍ〜１．０ｍｍの範囲にすることができる。
【００１２】
容器ユニット１０は、底面部１１、底面部１１に対向する開口部１２、および底面部１１と開口部１２の間の四つの側壁部１３〜１６を有している。
開口部１２の面積は底面部１１の面積よりも少し大きくなっている。
四つの側壁部は、互いに対向する第１側壁部１３と第２側壁部１４、互いに対向する第３側壁部１５と第４側壁部１６であり、いずれの側壁部も開口部１２から底面部１１側に傾斜した面になっている。
【００１３】
容器ユニット２０は、底面部２１、底面部２１に対向する開口部２２、および底面部２１と開口部２２の間の四つの側壁部２３〜２６を有している。
開口部２２の面積は底面部２１の面積よりも少し大きくなっている。
四つの側壁部は、互いに対向する第１側壁部２３と第２側壁部２４、互いに対向する第３側壁部２５と第４側壁部２６であり、いずれの側壁部も開口部２２から底面部２１側に傾斜した面になっている。
【００１４】
容器ユニット３０は、底面部３１、底面部３１に対向する開口部３２、および底面部３１と開口部３２の間の四つの側壁部３３〜３６を有している。
開口部３２の面積は底面部３１の面積よりも少し大きくなっている。
四つの側壁部は、互いに対向する第１側壁部３３と第２側壁部３４、互いに対向する第３側壁部３５と第４側壁部３６であり、いずれの側壁部も開口部３２から底面部３１側に傾斜した面になっている。
【００１５】
容器ユニット４０は、底面部４１、底面部４１に対向する開口部４２、および底面部４１と開口部４２の間の四つの側壁部４３〜４６を有している。
開口部４２の面積は底面部４１の面積よりも少し大きくなっている。
四つの側壁部は、互いに対向する第１側壁部４３と第２側壁部４４、互いに対向する第３側壁部４５と第４側壁部４６であり、いずれの側壁部も開口部４２から底面部４１側に傾斜した面になっている。
【００１６】
容器ユニット５０は、底面部５１、底面部５１に対向する開口部５２、および底面部５１と開口部５２の間の四つの側壁部５３〜５６を有している。
開口部５２の面積は底面部５１の面積よりも少し大きくなっている。
四つの側壁部は、互いに対向する第１側壁部５３と第２側壁部５４、互いに対向する第３側壁部５５と第４側壁部５６であり、いずれの側壁部も開口部５２から底面部５１側に傾斜した面になっている。
【００１７】
食品用容器１は、容器ユニット１０〜５０がそれらの開口部において一体になることで形成されている。
容器ユニット１０〜５０は、
容器ユニット１０の開口部１２の周縁部（第１側壁部１３の上辺部）１３ａ、周壁部（第２側壁部１５の上辺部）１５ａと容器ユニット２０の開口部２２の周縁部（第１側壁部２３の上辺部）２３ａ、周縁部（第２側壁部２５の上辺部）２５ａが一体になり、
容器ユニット２０の開口部２２の周縁部（第１側壁部２３の上辺部）２３ａ、周縁部（第２側壁部２５の上辺部）２５ａと容器ユニット３０の開口部３２の周縁部（第１側壁部３３の上辺部）３３ａ、周縁部（第２側壁部３５の上辺部）３５ａが一体になり、
容器ユニット３０の開口部３２の周縁部（第１側壁部３３の上辺部）３３ａ、周縁部（第２側壁部３５の上辺部）３５ａと容器ユニット４０の開口部４２の周縁部（第１側壁部４３の上辺部）４３ａ、周縁部（第２側壁部４５の上辺部）４５ａが一体になり、
容器ユニット４０の開口部４２の周縁部（第１側壁部４３の上辺部）４３ａ、周縁部（第２側壁部４５の上辺部）４５ａと容器ユニット５０の開口部５２の周縁部（第１側壁部５３の上辺部）５３ａ、周縁部（第２側壁部５５の上辺部）５５ａが一体になっている。
【００１８】
容器ユニット１０〜５０は、それぞれの第４側壁部と第３側壁部を共有した状態で組み合わされている。
容器ユニット１０の第４側壁部１６と容器ユニット２０の第３側壁部２４は、それらの上辺部が共有されている（第１共有上辺部１８）ことを除いて、他の部分は間隔をおいて対向されている。
容器ユニット２０の第４側壁部２６と容器ユニット３０の第３側壁部３４は、それらの上辺部が共有されている（第２共有上辺部２８）ことを除いて、他の部分は間隔をおいて対向されている。
容器ユニット３０の第４側壁部３６と容器ユニット４０の第３側壁部４４は、それらの上辺部が共有されている（第３共有上辺部３８）ことを除いて、他の部分は間隔をおいて対向されている。
容器ユニット４０の第４側壁部４６と容器ユニット５０の第３側壁部５４は、それらの上辺部が共有されている（第４共有上辺部４８）ことを除いて、他の部分は間隔をおいて対向されている。
【００１９】
本発明の食品用容器１は、上記した共有上辺部（第１共有上辺部１８〜第４共有上辺部４８）が、一部または全部に傾斜部を有していることが特徴のものである。
第１共有上辺部１８は、図１、図２の状態であるとき、図３（ａ）、（ｂ）に示すとおり、第１端（第１側壁部１３、２３）側から第２端（第２側壁部１５、２５）側に向かって傾斜された第１傾斜部６０を有している。
図３（ａ）は、第１端（側壁部１３、２３）側の一部が第１平坦部６１で、残部が第１傾斜部６０となっており、一部が傾斜部となっている実施形態である。
図３（ｂ）は、第１端（側壁部１３、２３）から第２端（側壁部１５、２５）側に向かって連続的に傾斜された第１傾斜部６０を有しており、全部が傾斜部となっている実施形態である。第１傾斜部６０の第１端（側壁部１３、２３）に近い部分が実質的に図３（ａ）の第１平坦部６１に対応する。
【００２０】
第２共有上辺部２８は、図１、図２の状態であるとき、図４（ａ）、（ｂ）に示すとおり、第２端（第２側壁部２５、３５）側から第１端（第１側壁部２３、３３）側に向かって傾斜された第２傾斜部６５を有している。
図４（ａ）は、第２端（側壁部２５、３５）側の一部が第２平坦部６６で、残部が第２傾斜部６５となっており、一部が傾斜部となっている実施形態である。
図４（ｂ）は、第２端（側壁部２５、３５）から第１端（側壁部２３、３３）側に向かって連続的に傾斜された第２傾斜部６５を有しており、全部が傾斜部となっている実施形態である。第２傾斜部６５の第２端（側壁部２５、３５）に近い部分が実質的に図４（ａ）の第１平坦部６６に対応する。
【００２１】
第３共有上辺部３８は、図１、図２の状態であるとき、図４（ａ）、（ｂ）に示すとおり、第２端（第２側壁部３５、４５）側から第１端（第１側壁部３３、４３）側に向かって傾斜された第２傾斜部６５を有している。
図４（ａ）は、第２端（側壁部３５、４５）側の一部が第２平坦部６６で、残部が第２傾斜部６５となっており、一部が傾斜部となっている実施形態である。
図４（ｂ）は、第２端（側壁部３５、４５）から第１端（側壁部３３、４３）側に向かって連続的に傾斜された第２傾斜部６５を有しており、全部が傾斜部となっている実施形態である。第２傾斜部６５の第２端（側壁部３５、４５）に近い部分が実質的に図４（ａ）の第１平坦部６６に対応する。
【００２２】
第４共有上辺部４８は、図１、図２の状態であるとき、図３（ａ）、（ｂ）に示すとおり、第１端（第１側壁部４３、５３）側から第２端（第２側壁部４５、５５）側に向かって傾斜された第１傾斜部６０を有している。
図３（ａ）は、第１端（側壁部３３、４３）側の一部が第１平坦部６１で、残部が第１傾斜部６０となっており、一部が傾斜部となっている実施形態である。
図３（ｂ）は、第１端（側壁部３３、４３）から第２端（側壁部４５、５５）側に向かって連続的に傾斜された第１傾斜部６０を有しており、全部が傾斜部となっている実施形態である。第１傾斜部６０の第１端（側壁部４３、５３）に近い部分が実質的に図３（ａ）の第１平坦部６１に対応する。
【００２３】
図５は、第１傾斜部と第２傾斜部の別実施形態を示す断面図である。
図５に示す第１共有上辺部１８は、図１、図２の状態であるとき、第１端（第１側壁部１３、２３）側から第２端（第２側壁部１５、２５）側に向かって、第１平坦部７１、傾斜部（第１傾斜部および第２傾斜部）７０、第２平坦部７２を有しており、中間部が傾斜部となっている実施形態である。
図５では、第１平坦部７１と第２平坦部７２は同じ長さであり、左右対称形であるため、第１共有上辺部１８〜第４共有上辺部４８の断面形状は、第１端（第１側壁部１３、２３）側から第２端（第２側壁部１５、２５）側の断面形状と、反対方向への断面形状は全て同じになる。このため、傾斜部７０は第１傾斜部と第２傾斜部を兼ねていることになる。
なお、第１共有上辺部１８〜第４共有上辺部４８における第１平坦部７１と第２平坦部７２の長さは異なっていてもよい。
また、第１共有上辺部１８〜第４共有上辺部４８における第１平坦部７１と第２平坦部７２は、平坦部ではなく、傾斜部７０よりも緩やかな傾斜部であってもよい。
【００２４】
図１、図２に示す食品用容器１では、第１共有上辺部１８の第１傾斜部６０と第４共有上辺部４８の第１傾斜部６０は同じ傾斜部であり、第２共有上辺部２８の第２傾斜部６５と第３共有上辺部（第３傾斜上辺部）３８の第２傾斜部６５は同じ傾斜部である。
他の実施形態としては、第１共有上辺部１８と第３共有上辺部３８が同じ第１傾斜部６０を有し、第２共有上辺部２８と第４共有上辺部４８が同じ第２傾斜部６５を有している実施形態、第１共有上辺部１８〜第４共有上辺部４８のうちの３つの共有上辺部の傾斜部が同じで、残る一つの共有上辺部の傾斜部が異なっている実施形態でもよい。
【００２５】
食品用容器１の複数の共有上辺部における第１傾斜部６０と第２傾斜部６５の数と形成位置は、複数の共有上辺部の内、少なくとも一つが第１傾斜部６０であるときは残部が第２傾斜部６５であり、少なくとも一つが第２傾斜部６５であるときは残部が第１傾斜部６０であればよい。
好ましい実施形態としては、食品用容器１の容器ユニットの合計が奇数であり、共有上辺部が偶数であるとき、第１傾斜部６０を有する共有上辺部と第２傾斜部６５を有する共有上辺部が同数形成されている実施形態、容器ユニットの合計が偶数であり、共有上辺部が奇数であるとき、第１傾斜部６０を有する共有上辺部と第２傾斜部６５を有する共有上辺部のいずれか一方が一つ多く形成されている実施形態にすることができる。
【００２６】
食品用容器１は、強度を高めるため、開口部（開口部１２〜５２）（但し、それぞれの共有上辺部は除く）がフランジ部を有しているものでもよい。
フランジ部の形状や幅には特徴はなく、公知の容器の開口部に形成されているものと同じものでもよい。
容器ユニット１０〜５０の側面部と底面部には、強度を付与するための複数のリブが形成されていてもよい。
側面部のリブは、例えば開口部から底面部に向かう線状突起、底面部のリブは、例えば分散して形成された複数の独立突起（平面形状が円形または矩形のものなど）にすることができる。
【００２７】
食品用容器１は、それ自体でも食品用容器として使用することができるほか、厚紙、熱可塑性樹脂、木、陶器などからなる箱容器内に置いて使用することもできる。
食品用容器１の容器ユニット１０〜５０内に入れる食品の種類は特に制限されるものではないが、クッキー、カステラ、ケーキ、チョコレート、各種和菓子、煎餅、あられ菓子、キャンディなどの菓子類が好ましい。
【００２８】
＜食品用容器集合体＞
図６（ｂ）は、図６（ａ）に示すとおり、下方に示した一つの食品用容器１Ａに対して、上方に示した別の食品用容器１Ｂを嵌め込んで一つにした状態の平面図である。
図６（ａ）の下方の食品用容器１Ａは、図１、図２に示す状態のものであり、上方の食品用容器１Ｂは、食品用容器１Ａの向きを反対（第１端部２と第２端部３の向きを反対）にしたものである。
【００２９】
図６（ａ）に示す状態のとき、食品用容器１Ａは、第１端部２から第２端部３に向かって順に第１共有上辺部１８（第１傾斜部６０と第１平坦部６１を有する）、第２共有上辺部２８（第２傾斜部６５と第２平坦部６６を有する）、第３共有上辺部３８（第２傾斜部６５と第２平坦部６６を有する）、第４共有上辺部４８（第１傾斜部６０と第１平坦部６１を有する）を有している。
【００３０】
図６（ａ）に示す状態のとき、食品用容器１Ｂは、食品用容器１Ａの第１端部２と第２端部３の向きを反対にしているため、共有上辺部の向きも図３の状態から図４の状態に変化していることになる。
このため食品用容器１Ｂは、第２端部３から第１端部２に向かって順に第４共有上辺部４８（第２傾斜部６５と第２平坦部６６を有する）、第３共有上辺部３８（第１傾斜部６０と第１平坦部６１を有する）、第２共有上辺部２８（第１傾斜部６０と第１平坦部６１を有する）、第１共有上辺部１８（第２傾斜部６５と第２平坦部６６を有する）を有している。
【００３１】
図６（ａ）に示す状態で食品用容器１Ａに食品用容器１Ｂを嵌め込んだときには、図６（ｃ）に示すとおり、食品用容器１Ａの第１共有上辺部１８の第１傾斜部６０に食品用容器１Ｂの第４共有上辺部４８の第２平坦部６６が重なり、食品用容器１Ａの第１共有上辺部１８の第１平坦部６１に食品用容器１Ｂの第４共有上辺部４８の第２傾斜部６５が重なるため、食品用容器１Ａの第１共有上辺部１８と食品用容器１Ｂの第４共有上辺部４８の間には隙間８０が形成される。
同様にして食品用容器１Ａの第２共有上辺部２８と食品用容器１Ｂの第３共有上辺部３８が重なったとき、食品用容器１Ａの第３共有上辺部３８と食品用容器１Ｂの第２共有上辺部２８が重なったとき、食品用容器１Ａの第１共有上辺部１８と食品用容器１Ｂの第４共有上辺部４８が重なったときにも隙間８０が形成される。
このように食品用容器１同士を嵌め込んだ状態で多数積み重ねたときでも、第１傾斜部６０と第２傾斜部６５が厚さ方向に重なるようにできることから、上下方向に隣接する食用用容器１同士の間には必ず隙間８０が形成されるため、一つ一つの食品用容器１が分離され易くなっている。
このため、作業時間も短縮することができ、食品用容器同士を無理に引き剥がそうとして変形するようなことがなくなる。
【００３２】
また、図６（ａ）、（ｂ）に示す実施形態おいて、図５に示す実施形態の食品用容器１Ａ、１Ｂを使用したときは、食品用容器１Ａ、１Ｂの第１共有上辺部１８〜第４共有上辺部４８のそれぞれにおいて、食品用容器１Ａの第１平坦部７１の上に食品用容器１Ｂの第２平坦部７２が位置し、食品用容器１Ａの第２平坦部７２の上に食品用容器１Ｂの第１平坦部７１が位置し、食品用容器１Ａの傾斜部７０の上に食品用容器１Ｂの傾斜部（食品用容器１Ａの傾斜部７０とは傾斜向きが反対の傾斜部）７０が位置することになる。このため、食品用容器１Ａの第１共有上辺部１８〜第４共有上辺部４８と食品用容器１Ｂの第４共有上辺部４８〜第１共有上辺部１８の間には隙間が形成されることから、上記と同様に一つ一つの食品用容器１が分離され易くなっている。
【産業上の利用可能性】
【００３３】
本発明の食品用容器は、クッキー、煎餅、あられなどの各種菓子の容器として利用できる。
【符号の説明】
【００３４】
１、１Ａ、１Ｂ  食品用容器
１０、２０、３０、４０、５０  容器ユニット
６０  第１傾斜部
６１  第１平坦部
６５  第２傾斜部
６６  第２平坦部
【図１】
2019104530.tif 000003
【図２】
2019104530.tif 000004
【図３】
2019104530.tif 000005
【図４】
2019104530.tif 000006
【図５】
2019104530.tif 000007
【図６】
2019104530.tif 000008
【図７】
2019104530.tif 000009
【図８】
2019104530.tif 000010